(57)【要約】【課題】本発明は、２つの光増幅器の光出力をそれぞれ一定にできるレーザモジュールを提供することを目的とする。【解決手段】第１出力光を出力する第１増幅器と、第２出力光を出力する第２増幅器と、該第１増幅器にディザ信号を重畳した第１駆動電流を供給する第１駆動回路と、該第１増幅器に供給される電流を検出する第１モニタ回路と、該第２増幅器に第２駆動電流を供給する第２駆動回路と、該第２駆動電流を検出する第２モニタ回路と、該第１出力光と該第２出力光の一部の強度を検出する光出力モニタ回路と、処理回路と、を備え、該処理回路は、該第１モニタ回路の出力と該光出力モニタ回路の出力から求めた該第１駆動電流と該第１出力光の強度との対応関係から、該第１出力光の強度の平均値を予め定められた値とする該第１駆動電流を算出する。【選択図】図１
2016129163.tif 000002
【特許請求の範囲】
【請求項１】
第１出力光を出力する第１増幅器と、第２出力光を出力する第２増幅器と、を有する光源装置と、
前記第１増幅器に、ディザ信号を重畳した第１駆動電流を供給する第１駆動回路と、
前記第１増幅器に供給される電流を検出する第１モニタ回路と、
前記第２増幅器に、第２駆動電流を供給する第２駆動回路と、
前記第２駆動電流を検出する第２モニタ回路と、
前記第１出力光と前記第２出力光の一部を受光する受光素子と、
前記受光素子で受光した光の強度を検出する光出力モニタ回路と、
前記第１駆動回路と前記第２駆動回路を制御する処理回路と、を備え、
前記処理回路は、
前記第１モニタ回路の出力と前記光出力モニタ回路の出力から、前記第１駆動電流と前記第１出力光の強度との対応関係を求め、前記第１出力光の強度の平均値を予め定められた値とする前記第１駆動電流を前記対応関係から算出し、算出された前記第１駆動電流を前記第１駆動回路に供給させ、
前記光出力モニタ回路の出力の平均値が一定になるように、前記第２駆動回路に前記第２駆動電流を供給させることを特徴とするレーザモジュール。
【請求項２】
前記対応関係は、前記第１増幅器に供給される電流を横軸とし前記第１出力光を縦軸としたときの傾きであることを特徴とする請求項１に記載のレーザモジュール。
【請求項３】
第１出力光を出力する第１増幅器と、第２出力光を出力する第２増幅器と、を有する光源装置と、
前記第１増幅器に、第１駆動電流を供給する第１駆動回路と、
前記第１増幅器に供給される電流を検出する第１モニタ回路と、
前記第２増幅器に、第２駆動電流を供給する第２駆動回路と、
前記第２増幅器に供給される電流を検出する第２モニタ回路と、
前記第１出力光と前記第２出力光の一部を受光する受光素子と、
前記受光素子で受光した光の強度を検出する光出力モニタ回路と、
前記第１駆動回路と前記第２駆動回路を制御する処理回路と、を備え、
前記処理回路は、
前記第１駆動電流と前記第２駆動電流に交互にディザ信号を重畳させ、
前記第１駆動電流にディザ信号を重畳しているときに、前記第１モニタ回路の出力と前記光出力モニタ回路の出力から、前記第１駆動電流と前記第１出力光の強度との対応関係である第１対応関係を求め、
前記第２駆動電流にディザ信号を重畳しているときに、前記第２モニタ回路の出力と前記光出力モニタ回路の出力から、前記第２駆動電流と前記第２出力光の強度との対応関係である第２対応関係を求め、
前記第１出力光の強度の平均値を予め定められた値とする前記第１駆動電流を前記第１対応関係から算出し、算出された前記第１駆動電流を前記第１駆動回路に供給させ、
前記第２出力光の強度の平均値を予め定められた値とする前記第２駆動電流を前記第２対応関係から算出し、算出された前記第２駆動電流を前記第２駆動回路に供給させることを特徴とするレーザモジュール。
【請求項４】
前記ディザ信号の周波数を１００ｋＨｚ以下としたことを特徴とする請求項１〜３のいずれか１項に記載のレーザモジュール。
【請求項５】
前記ディザ信号の振幅は、前記第１駆動電流の振幅に対して０．２ｄＢ以下としたことを特徴とする請求項１〜４のいずれか１項に記載のレーザモジュール。
【請求項６】
前記処理回路は、時間が経過するほど前記第１駆動電流と前記第２駆動電流を増加させることを特徴とする請求項１〜５のいずれか１項に記載のレーザモジュール。
【請求項７】
前記ディザ信号を生成するＤ／Ａコンバータを備えたことを特徴とする請求項１〜６のいずれか１項に記載のレーザモジュール。
【請求項８】
前記光出力モニタ回路は、前記ディザ信号による光強度の振動を検出するＡ／Ｄコンバータを備えたことを特徴とする請求項１〜７のいずれか１項に記載のレーザモジュール。
【請求項９】
前記第１出力光は送信光であり、前記第２出力光は受信側で検波に使用される局発光であり、コヒーレント光通信を行う請求項１〜８のいずれか１項に記載のレーザモジュール。
【請求項１０】
前記第２出力光は送信光であり、前記第１出力光は受信側で検波に使用される局発光であり、コヒーレント光通信を行う請求項１〜８のいずれか１項に記載のレーザモジュール。
【発明の詳細な説明】
【技術分野】
【０００１】
本発明は、例えば波長分割多重(WDM：Wavelength Division Multiplexing)通信システムにおいて光源として用いられるレーザモジュールに関する。
【背景技術】
【０００２】
特許文献１には、所望の波長のレーザ光を出力するレーザモジュールが開示されている。波長可変型のレーザモジュールはWDM通信システムの光源として幅広く用いられている。通信方式としてはデジタルコヒーレント光通信が主流となっている。非特許文献１には、コヒーレント光通信においては送信光と局発光が必要となるため、１つの光送受信器が２つの光源を搭載することが開示されている。
【先行技術文献】
【特許文献】
【０００３】
【特許文献１】特開２０１２−１２４２８７号公報
【非特許文献】
【０００４】
【非特許文献１】L.E.Nelson, et al.,“Performance of a 46-Gbps Dual-Polarization QPSK Transceiver With Real-Time Coherent Equalization Over High PMD Fiber”, IEEE JOURNAL OF LIGHTWAVE TECHNOLOGY, VOL. 27, NO. 3, FEBRUARY 1, 2009.
【発明の概要】
【発明が解決しようとする課題】
【０００５】
小型化と低コスト化のために、送信光用の光増幅器と局発光用の光増幅器とをレーザモジュールに搭載することが考えられる。２つの光増幅器の出力光の強度はそれぞれ一定に制御し時間変化しないようにすることが好ましい。２つの光増幅器の出力光の強度をそれぞれ一定に制御するためには、レーザモジュール内部で送信光と局発光を分離し個々にフォトダイオードで受光することが好ましい。具体的には、２つのフォトダイオードと、それらで検出した光強度をモニタする２つの光出力モニタ回路を設ける。しかしながら、光学系の制約から、２つのフォトダイオードと２つの光出力モニタ回路を設けることはできない問題があった。
【０００６】
本発明は、上述のような課題を解決するためになされたもので、簡素な構成で、２つの光増幅器の光出力をそれぞれ一定にできるレーザモジュールを提供することを目的とする。
【課題を解決するための手段】
【０００７】
本願の発明に係るレーザモジュールは、第１出力光を出力する第１増幅器と、第２出力光を出力する第２増幅器と、を有する光源装置と、該第１増幅器に、ディザ信号を重畳した第１駆動電流を供給する第１駆動回路と、該第１増幅器に供給される電流を検出する第１モニタ回路と、該第２増幅器に、第２駆動電流を供給する第２駆動回路と、該第２駆動電流を検出する第２モニタ回路と、該第１出力光と該第２出力光の一部を受光する受光素子と、該受光素子で受光した光の強度を検出する光出力モニタ回路と、該第１駆動回路と該第２駆動回路を制御する処理回路と、を備える。そして、該処理回路は、該第１モニタ回路の出力と該光出力モニタ回路の出力から、該第１駆動電流と該第１出力光の強度との対応関係を求め、該第１出力光の強度の平均値を予め定められた値とする該第１駆動電流を該対応関係から算出し、算出された該第１駆動電流を該第１駆動回路に供給させ、該光出力モニタ回路の出力の平均値が一定になるように、該第２駆動回路に該第２駆動電流を供給させる。
【０００８】
本願の発明にかかる他のレーザモジュールは、第１出力光を出力する第１増幅器と、第２出力光を出力する第２増幅器と、を有する光源装置と、該第１増幅器に、第１駆動電流を供給する第１駆動回路と、該第１増幅器に供給される電流を検出する第１モニタ回路と、該第２増幅器に、第２駆動電流を供給する第２駆動回路と、該第２増幅器に供給される電流を検出する第２モニタ回路と、該第１出力光と該第２出力光の一部を受光する受光素子と、該受光素子で受光した光の強度を検出する光出力モニタ回路と、該第１駆動回路と該第２駆動回路を制御する処理回路と、を備える。そして、該処理回路は、該第１駆動電流と該第２駆動電流に交互にディザ信号を重畳させ、該第１駆動電流にディザ信号を重畳しているときに、該第１モニタ回路の出力と該光出力モニタ回路の出力から、該第１駆動電流と該第１出力光の強度との対応関係である第１対応関係を求め、該第２駆動電流にディザ信号を重畳しているときに、該第２モニタ回路の出力と該光出力モニタ回路の出力から、該第２駆動電流と該第２出力光の強度との対応関係である第２対応関係を求め、該第１出力光の強度の平均値を予め定められた値とする該第１駆動電流を該第１対応関係から算出し、算出された該第１駆動電流を該第１駆動回路に供給させ、該第２出力光の強度の平均値を予め定められた値とする該第２駆動電流を該第２対応関係から算出し、算出された該第２駆動電流を該第２駆動回路に供給させる。
【発明の効果】
【０００９】
本発明によれば、２つの駆動電流のいずれか一方にディザ信号を重畳し２つの光増幅器の特性を個々に把握するので、簡素な構成で、２つの光増幅器の光出力をそれぞれ一定にできる。
【図面の簡単な説明】
【００１０】
【図１】実施の形態１に係るレーザモジュールの平面図である。
【図２】処理回路の動作を示すフローチャートである。
【図３】第１駆動電流と第１出力光の強度との対応関係を示すグラフである。
【図４】実施の形態２に係るレーザモジュールの平面図である。
【図５】実施の形態３に係るレーザモジュールの平面図である。
【図６】実施の形態４に係るレーザモジュールの平面図である。
【図７】ディザ信号の重畳方法を説明する図である。
【図８】第２駆動電流の算出方法を説明するグラフである。
【発明を実施するための形態】
【００１１】
本発明の実施の形態に係るレーザモジュールについて図面を参照して説明する。同じ又は対応する構成要素には同じ符号を付し、説明の繰り返しを省略する場合がある。
【００１２】
実施の形態１．
図１は、本発明の実施の形態１に係るレーザモジュール１０の平面図である。レーザモジュール１０はパッケージ１１の中に設けられた光源装置１２を備えている。光源装置１２は、複数の半導体レーザ素子１４、光合波器１６、第１増幅器１８、及び第２増幅器２０を備えている。複数の半導体レーザ素子１４は例えばレーザダイオードである。個々の半導体レーザ素子１４は異なる発振波長を有する。半導体レーザ素子１４の出射光は光合波器１６で合波される。そして、光合波器１６は同一波長の２つの光の一方を第１増幅器１８に入射させ、他方を第２増幅器２０に入射させる。第１増幅器１８と第２増幅器２０は例えば半導体光増幅器（ＳＯＡ）で構成されている。
【００１３】
レーザモジュール１０には、第１増幅器１８に、ディザ信号を重畳した第１駆動電流を供給する第１駆動回路２２が設けられている。第１増幅器１８の光増幅率は第１駆動電流が大きいほど大きくなる。第１駆動回路２２と第１増幅器１８の間には、第１増幅器１８に供給される電流を検出する第１モニタ回路２４が設けられている。
【００１４】
レーザモジュール１０には、第２増幅器２０に第２駆動電流を供給する第２駆動回路２６が設けられている。第２増幅器２０の光増幅率は第２駆動電流が大きいほど大きくなる。第２駆動回路２６と第２増幅器２０の間には、第２駆動電流を検出する第２モニタ回路２８が設けられている。
【００１５】
第１増幅器１８から出力される光を第１出力光と称し、第２増幅器２０から出力される光を第２出力光と称する。第１出力光と第２出力光が入射する位置にコリメートレンズ３０が設けられている。コリメートレンズ３０の後段にはビームスプリッタ３２が設けられている。ビームスプリッタ３２の後段には集光レンズ３４が設けられている。集光レンズ３４を通った光がファイバ３６に結合する。
【００１６】
ビームスプリッタ３２によって分離された光を受光する位置に受光素子４０が設けられている。受光素子４０によって、第１出力光と第２出力光の一部を受光する。受光素子４０は例えばフォトダイオードである。受光素子４０には、受光素子４０で受光した光の強度を検出する光出力モニタ回路４２が接続されている。
【００１７】
パッケージ１１の中には第１駆動回路２２と第２駆動回路２６を制御する処理回路５０が設けられている。処理回路５０は例えばマイコンである。処理回路５０は、受信機５０ａ、プロセッサ５０ｂ、メモリ５０ｃ、及び送信機５０ｄを備えている。
【００１８】
レーザモジュール１０の動作を説明する。まず、複数の半導体レーザ素子１４のうちの１つに電圧を印加する。半導体レーザ素子１４の出射光は光合波器１６に入力される。光合波器１６は同一波長の２つの光の一方を第１増幅器１８に入射させ、他方を第２増幅器２０に入射させる。第１増幅器１８は、第１駆動回路２２から供給される「ディザ信号を重畳した第１駆動電流」によって光を増幅する。第２増幅器２０は、第２駆動回路２６から供給される「第２駆動電流」によって光を増幅する。第１増幅器１８から第１出力光が出力され、第２増幅器２０から第２出力光が出力される。こうして、光源装置１２から２つの光が出力される。
【００１９】
第１出力光と第２出力光はコリメートレンズ３０によって平行光線になりビームスプリッタ３２に入射する。第１出力光と第２出力光の大半はビームスプリッタ３２を透過し、集光レンズ３４を経由してファイバ３６に結合する。第１出力光と第２出力光の一部はビームスプリッタ３２によって曲げられ、受光素子４０に入射する。受光素子４０で受光した光の強度は光出力モニタ回路４２によって検出される。
【００２０】
処理回路５０は、第１出力光の強度と第２出力光の強度を一定にする第１駆動電流と第２駆動電流を決める。処理回路５０の動作について説明する。図２は、処理回路５０の動作を示すフローチャートである。まず、処理回路５０は、受信機５０ａにより、第１モニタ回路２４の出力と光出力モニタ回路４２の出力を受信する（ステップＳ１）。
【００２１】
次いで、第１モニタ回路２４の出力と光出力モニタ回路４２の出力から、第１駆動電流と第１出力光の強度との対応関係を求める（ステップＳ２）。図３は、第１駆動電流と第１出力光の強度との対応関係を示すグラフである。図３において、横軸は第１増幅器１８に供給される電流Ｉｓｏａ１であり、縦軸は光出力モニタ回路４２で検出した光強度Ｐである。光強度Ｐは、第１出力光の強度（Ｐ１）と第２出力光の強度（Ｐ２）の和である。
【００２２】
第１駆動電流にディザ信号が重畳されることによるＩｓｏａ１の時間変化はΔＩｓｏａである。Ｉｓｏａ１の最小値はＩ１であり、最大値はＩ２であり、平均値はＩ３である。Ｉｓｏａ１の時間変化に応じて、光出力モニタ回路４２で検出する光強度もΔＰだけ時間変化する。Ｐの最小値はＰａであり、最大値はＰｂであり、平均値はＰｃである。ディザ信号は第１駆動電流だけに重畳されるので、ΔＰは第１出力光の時間変化を表している。したがって、図３の直線の傾きは、第１駆動電流と第１出力光の強度との対応関係を表す。
【００２３】
処理回路５０（プロセッサ５０ｂ）は、この対応関係から、第１出力光の強度の平均値を予め定められた値とする第１駆動電流を算出する（ステップＳ３）。予め定められた第１出力光の強度の平均値を、第１目標強度Ｐｘと称する。第１目標強度Ｐｘは事前にメモリ５０ｃに保存して第１駆動電流の算出時に利用する。そして、算出された第１駆動電流を第１駆動回路２２に供給させる（ステップＳ４）。図３に沿って説明すれば、対応関係を表す直線の傾きη１は、ΔＰをΔＩｓｏａで除算して得ることができる。そして、第１目標強度Ｐｘ／傾きη１（／の右側が分母で左側が分子）で得られる第１駆動電流を第１増幅器１８に印加させる。これにより、第１出力光の強度（の平均値）を予め定められた値（第１目標強度Ｐｘ）とすることができる。
【００２４】
さらに、ステップＳ４において、処理回路５０は、光出力モニタ回路４２の出力の平均値が一定になるように、第２駆動回路２６に第２駆動電流を供給させる。第１出力光の強度は上記の手段で一定に制御されているので、光出力モニタ回路４２の出力の平均値を一定にすることで、第２出力光の強度を一定にすることができる。図２に示す処理を定期的に実施することで、第１出力光の強度と第２出力光の強度を予め定められた値に維持できる。なお、ディザ信号は第１駆動電流に常時重畳してもよいし、図２の処理を実施するときだけ重畳してもよい。
【００２５】
このように、本発明の実施の形態１に係るレーザモジュール１０では、ディザ信号により第１増幅器１８に注入する電流を微小変動させ、その出力変動を検出することで第１駆動電流と第１出力光の強度との対応関係（傾き又は効率）を求める。そして、この対応関係により、第１目標強度Ｐｘを得るための第１駆動電流を算出し、算出された第１駆動電流で第１増幅器１８を駆動する。これにより光出力を一定に制御する。したがって、経年劣化により対応関係（傾き）が変わっても、その変化に応じて第１駆動電流と第２駆動電流を修正するので、第１出力光と第２出力光をそれぞれ一定に保つことができる。
【００２６】
上記の処理回路５０による処理は、メモリ５０ｃに記憶されたプログラムをプロセッサ５０ｂで実行することで実現される。複数の処理回路が連携して上記機能を実行しても良い。
【００２７】
ところで、レーザモジュール１０でコヒーレント光通信を行う場合、第１出力光と第２出力光の一方が信号光であり他方が受信側で検波に使用される局発光である。本発明の実施の形態１レーザモジュール１０では、第１出力光を送信光とし第２出力光を局発光としても、第２出力光を送信光とし第１出力光を局発光としても２つの光出力を一定にできる。
【００２８】
ディザ信号による主信号の品質への影響を抑制するために、ディザ信号の周波数は１００ｋＨｚ以下とし、ディザ信号の振幅は第１駆動電流の振幅に対して０．２ｄＢ以下とすることが好ましい。増幅器の増幅率は時間の経過とともに低下することが多い。その場合、上記の処理の結果、処理回路５０は、時間が経過するほど第１駆動電流と第２駆動電流を増加させる。第１駆動電流と第２駆動電流は時間の経過とともに減少させることはできず、上昇させることしかできないように処理回路５０を設定することで、誤差のない光出力制御ができる。
【００２９】
本発明の実施の形態１に係るレーザモジュール１０は、光出力モニタ回路４２を１つしか有していない場合において、ディザ信号を第１駆動電流に重畳することにより上述した対応関係を得て、第１増幅器１８と第２増幅器２０を個別に制御するものである。対応関係は、第１増幅器１８に供給される電流を横軸とし第１出力光を縦軸としたときの傾きとしたが、別の対応関係でも良い。例えば、変動する電流Ｉｓｏａ１の各値に対する光出力モニタ回路４２で検出した光強度をテーブルの形で保存し、そのテーブルを対応関係としてもよい。その他、本発明の特徴を失わない範囲で様々な変形をなし得る。
【００３０】
上記の変形は以下の実施の形態に係るレーザモジュールにも適宜応用できる。なお、以下の実施の形態に係るレーザモジュールは、実施の形態１との共通点が多いので、実施の形態１との相違点を中心に説明する。
【００３１】
実施の形態２．
図４は、実施の形態２に係るレーザモジュールの平面図である。このレーザモジュールはディザ信号を生成するＤ／Ａコンバータ６０を備えている。Ｄ／Ａコンバータ６０は第１駆動回路２２の中に設けられている。第１駆動電流をＤ／Ａコンバータ６０を経由させることで、第１駆動電流にディザ信号を重畳する。
【００３２】
Ｄ／Ａコンバータ６０はディザ信号を重畳する手段として機能する。Ｄ／Ａコンバータ６０を用いることにより簡易な構成で第１駆動電流にディザ信号を重畳できる。第２駆動電流にディザ信号を重畳する場合は、第２駆動回路２６にＤ／Ａコンバータを設ける。第１駆動回路と第２駆動回路の両方にＤ／Ａコンバータを設けてもよい。また、処理回路５０の中のＤ／Ａコンバータによって第１駆動電流にディザ信号を重畳してもよい。
【００３３】
実施の形態３．
図５は、実施の形態３に係るレーザモジュールの平面図である。光出力モニタ回路４２は、ディザ信号による光強度の振動を検出するＡ／Ｄコンバータ７０を備えている。Ａ／Ｄコンバータ７０で検出された最大値から最小値を引いた値が図３の光出力変動(ΔＰ)であり、平均値が図３のＰｃである。Ａ／Ｄコンバータ７０を用いることにより簡易な構成でディザ信号による光強度の振動を検出することができる。Ａ／Ｄコンバータは処理回路５０に設けてもよい。
【００３４】
実施の形態４．
図６は、実施の形態４に係るレーザモジュールの平面図である。第１駆動回路２２は第１増幅器１８に第１駆動電流を供給する。第１増幅器１８に供給される電流は第１モニタ回路２４で検出される。第２駆動回路２６は第２増幅器２０に第２駆動電流を供給する。第２増幅器２０に供給される電流は第２モニタ回路２８で検出される。
【００３５】
処理回路５０は、第１駆動電流と第２駆動電流に交互にディザ信号を重畳させる。図７は、ディザ信号の重畳方法を説明する図である。Ｗ１は第１増幅器１８に供給される電流波形であり、Ｗ２は第２増幅器２０に供給される電流波形である。Ｗ１の波形がディザ信号を含むときはＷ２の波形にディザ信号は含まれず、Ｗ２の波形がディザ信号を含むときはＷ１の波形にディザ信号は含まれない。
【００３６】
処理回路５０は、第１駆動電流にディザ信号を重畳しているときに、第１モニタ回路２４の出力と光出力モニタ回路４２の出力から、第１駆動電流と第１出力光の強度との対応関係である第１対応関係を求める。
【００３７】
処理回路５０は、第２駆動電流にディザ信号を重畳しているときに、第２モニタ回路２８の出力と光出力モニタ回路４２の出力から、第２駆動電流と第２出力光の強度との対応関係である第２対応関係を求める。
【００３８】
そして、処理回路５０は、第１出力光の強度の平均値を予め定められた値とする第１駆動電流を第１対応関係から算出し、算出された第１駆動電流を第１駆動回路２２に供給させる。また、第２出力光の強度の平均値を予め定められた値とする第２駆動電流を第２対応関係から算出し、算出された第２駆動電流を第２駆動回路２６に供給させる。
【００３９】
本発明の実施の形態４に係るレーザモジュールでは、実施の形態１で説明した第１駆動電流の算出方法を、第２出力光の強度の平均値を予め定められた値とする第２駆動電流の算出に応用する。予め定められた第２出力光の強度の平均値は第２目標強度Ｐｙと称する。図８は、第２駆動電流の算出方法を説明するグラフである。縦軸は光出力モニタ回路４２で検出した光強度であり、横軸は第２増幅器２０に供給される電流Ｉｓｏａ２を示す。第２駆動電流にディザ信号が重畳されている場合、Ｉｓｏａ２はΔＩｓｏａの範囲で振動する。これに応じて、光出力モニタ回路４２で検出した光強度もΔＰの範囲で振動する。傾きη２は、ΔＰをΔＩｓｏａで除算して得ることができる。そして、第２目標強度Ｐｙ／傾きη２で得られる第２駆動電流を第２増幅器２０に印加させる。これにより、第２出力光の強度（の平均値）を予め定められた値（第２目標強度Ｐｙ）とすることができる。
【００４０】
このように、本発明の実施の形態４に係るレーザモジュールは、第１増幅器１８の特性を示す第１対応関係と第２増幅器２０の特性を示す第２対応関係を求め、これらから、第１目標強度Ｐｘと第２目標強度Ｐｙを得られる第１駆動電流と第２駆動電流を供給する。この処理を定期的に行うことで、第１出力光の強度と第２出力光の強度を一定に維持できる。
【００４１】
ディザ信号を第１駆動電流に重畳する期間とディザ信号を第２駆動電流に重畳する期間が重複しなければ、ディザ信号の重畳方法は特に限定されない。例えば第１駆動電流にも第２駆動電流にもディザ信号を重畳しない期間を設けてもよい。なお、ここまでで説明した各実施の形態に係るレーザモジュールの特徴は適宜に組み合わせて用いてもよい。
【符号の説明】
【００４２】
１０  レーザモジュール、  １２  光源装置、  １４  半導体レーザ素子、  １６  光合波器、  １８  第１増幅器、  ２０  第２増幅器、  ２２  第１駆動回路、  ２４  第１モニタ回路、  ２６  第２駆動回路、  ２８  第２モニタ回路、  ４０  受光素子、  ４２  光出力モニタ回路、  ５０  処理回路、  ６０  Ｄ／Ａコンバータ、  ７０  Ａ／Ｄコンバータ
【図１】
2016129163.tif 000003
【図２】
2016129163.tif 000004
【図３】
2016129163.tif 000005
【図４】
2016129163.tif 000006
【図５】
2016129163.tif 000007
【図６】
2016129163.tif 000008
【図７】
2016129163.tif 000009
【図８】
2016129163.tif 000010